(57)【要約】【課題】  １つの記録媒体内に互いに関係のないリレー記録による動画ファイルが複数存在する場合であっても、それぞれのリレー記録に係る動画ファイルの対応関係を維持可能なファイル管理を実現する。【解決手段】  記録装置は、リレー記録において、記録媒体Ａに記録される第１の動画データの付加情報に、第１の動画データの記録終了時刻を表す第１のコードを記録するとともに、記録媒体Ｂに記録される第２の動画データの付加情報に、第１及び第２の動画データがリレー記録に係るものであることを示すべく、第２の動画データの記録開始時刻として第１の動画データの記録終了時刻から単位時間進んだ時刻を表す第２のコードを記録する。記録装置はここで、過去に行われたリレー記録による他の動画データが記録媒体Ａに既に記録されている場合、第１の動画データに係る第１のコードには、他の動画データに係る第１のコードが示す値とは異なる値を設定する。【選択図】  図１
2014164783.tif 000002
【特許請求の範囲】
【請求項１】
第１の記録媒体と第２の記録媒体とに動画データを記録する記録手段と、
第１の記録媒体への動画データの記録中に記録先を第２の記録媒体に切り替えて動画データの記録を継続するように前記記録手段を制御する制御手段と、
前記第１の記録媒体への動画データの記録中に記録先を前記第２の記録媒体に切り替えて動画データの記録を継続した場合に、前記記録手段により、前記第１の記録媒体に記録される第１の動画データの記録終了時刻を表す第１の情報を前記第１の記録媒体に記録するとともに、前記第２の記録媒体に記録される第２の動画データの記録開始時刻として前記第１の動画データの記録終了時刻から所定の単位時間進んだ時刻を表す第２の情報を記録させる管理手段と、
を有し、
前記制御手段は、前記第１の動画データに係る前記第１の情報の値が、前記第１の記録媒体に既に記録されている他の動画データに係る前記第１の情報の値とは異なる値となるように、前記第１の動画データの記録終了位置を決定することを特徴とする記録装置。
【請求項２】
前記制御手段は、前記第１の動画データに係る前記第１の情報の値が、前記他の動画データに係る第１の情報の値とは異なる値で、かつ、現在時刻に最も近い時刻を表す値となるように前記第１の動画データの記録終了位置を決めることを特徴とする請求項１に記載の記録装置。
【請求項３】
第１の記録媒体と第２の記録媒体とに動画データを記録する記録手段を有する記録装置の制御方法であって、
制御手段が、前記第１の記録媒体への動画データの記録中に記録先を前記第２の記録媒体に切り替えて動画データの記録を継続するように前記記録手段を制御する制御工程と、
管理手段が、前記第１の記録媒体への動画データの記録中に記録先を前記第２の記録媒体に切り替えて動画データの記録を継続した場合に、前記記録手段により、前記第１の記録媒体に記録される第１の動画データの記録終了時刻を表す第１の情報を前記第１の記録媒体に記録するとともに、前記第２の記録媒体に記録される第２の動画データの記録開始時刻として前記第１の動画データの記録終了時刻から所定の単位時間進んだ時刻を表す第２の情報を記録させる管理工程と、
を有し、
前記制御工程において、前記制御手段は、前記第１の動画データに係る前記第１の情報の値が、前記第１の記録媒体に既に記録されている他の動画データに係る前記第１の情報の値とは異なる値となるように、前記第１の動画データの記録終了位置を決定することを特徴とする記録装置の制御方法。
【請求項４】
コンピュータに請求項３に記載の記録装置の制御方法の各工程を実行させるためのプログラム。
【請求項５】
一の記録媒体に動画データを記録中に当該記録媒体への動画データの記録が不可となった場合に記録先を他の記録媒体に切り替えて動画データの記録を継続するリレー記録により記録された動画データを、第１及び第２の記録媒体から検出する検出手段と、
前記第１の記録媒体に記録された第１の動画データの付加情報に含まれる前記第１の動画データの記録終了時刻を表す値と、前記第２の記録媒体に記録された第２の動画データの付加情報に含まれる前記第２の動画データの記録開始時刻を表す値とが、所定の単位時間で連続した値となっている場合、前記第１及び第２の動画データは同じリレー記録に係る動画データであると判定して、前記第１及び第２の記録媒体からそれぞれ前記第１及び第２の動画データを読み出して結合する結合手段と、
を有することを特徴とする画像処理装置。
【請求項６】
画像処理装置の制御方法であって、
検出手段が、一の記録媒体に動画データを記録中に当該記録媒体への動画データの記録が不可となった場合に記録先を他の記録媒体に切り替えて動画データの記録を継続するリレー記録により記録された動画データを、第１及び第２の記録媒体から検出する検出工程と、
結合手段が、前記第１の記録媒体に記録された第１の動画データの付加情報に含まれる前記第１の動画データの記録終了時刻を表す値と、前記第２の記録媒体に記録された第２の動画データの付加情報に含まれる前記第２の動画データの記録開始時刻を表す値とが、所定の単位時間で連続した値となっている場合、前記第１及び第２の動画データは同じリレー記録に係る動画データであると判定して、前記第１及び第２の記録媒体からそれぞれ前記第１及び第２の動画データを読み出して結合する結合工程と、
を有することを特徴とする画像処理装置の制御方法。
【請求項７】
コンピュータに請求項６に記載の画像処理装置の制御方法の各工程を実行させるためのプログラム。
【発明の詳細な説明】
【技術分野】
【０００１】
本発明は、動画の記録の制御技術に関する。
【背景技術】
【０００２】
従来、動画記録中に記録媒体の残量がなくなった場合、別の記録媒体に続けて動画を記録するリレー記録機能を持つ記録装置が知られている（例えば、特許文献１参照）。
【先行技術文献】
【特許文献】
【０００３】
【特許文献１】特開２００５−１７４３９０号公報
【発明の概要】
【発明が解決しようとする課題】
【０００４】
リレー記録によって複数の記録媒体にまたがって記録された一連のシーンの動画を再生するためには、複数の記録媒体が揃っていなければならず、不便である。そのため、リレー記録によって複数の記録媒体にまたがって記録された複数の動画ファイルを１つの動画ファイルに結合することができれば便利であろう。しかし、１つの記録媒体内に互いに関係のないリレー記録による動画ファイルが複数存在する場合もありうる。そのような場合に、それぞれのリレー記録に係る動画ファイルの対応関係が不明になってしまっては、関連する動画ファイル同士を正しく結合できない。そこで、１つの記録媒体内に互いに関係のないリレー記録による動画ファイルが複数存在する場合であっても動画ファイルの結合対象が不明になることのないようなファイル管理を確立することが重要である。
【課題を解決するための手段】
【０００５】
本発明の一側面によれば、第１の記録媒体と第２の記録媒体とに動画データを記録する記録手段と、第１の記録媒体への動画データの記録中に記録先を第２の記録媒体に切り替えて動画データの記録を継続するように前記記録手段を制御する制御手段と、前記第１の記録媒体への動画データの記録中に記録先を前記第２の記録媒体に切り替えて動画データの記録を継続した場合に、前記記録手段により、前記第１の記録媒体に記録される第１の動画データの記録終了時刻を表す第１の情報を前記第１の記録媒体に記録するとともに、前記第２の記録媒体に記録される第２の動画データの記録開始時刻として前記第１の動画データの記録終了時刻から所定の単位時間進んだ時刻を表す第２の情報を記録させる管理手段とを有し、前記制御手段は、前記第１の動画データに係る前記第１の情報の値が、前記第１の記録媒体に既に記録されている他の動画データに係る前記第１の情報の値とは異なる値となるように、前記第１の動画データの記録終了位置を決定することを特徴とする記録装置が提供される。
【０００６】
また、本発明の別の側面によれば、一の記録媒体に動画データを記録中に当該記録媒体への動画データの記録が不可となった場合に記録先を他の記録媒体に切り替えて動画データの記録を継続するリレー記録により記録された動画データを、第１及び第２の記録媒体から検出する検出手段と、前記第１の記録媒体に記録された第１の動画データの付加情報に含まれる前記第１の動画データの記録終了時刻を表す値と、前記第２の記録媒体に記録された第２の動画データの付加情報に含まれる前記第２の動画データの記録開始時刻を表す値とが、所定の単位時間で連続した値となっている場合、前記第１及び第２の動画データは同じリレー記録に係る動画データであると判定して、前記第１及び第２の記録媒体からそれぞれ前記第１及び第２の動画データを読み出して結合する結合手段とを有することを特徴とする画像処理装置が提供される。
【発明の効果】
【０００７】
本発明によれば、１つの記録媒体内に互いに関係のないリレー記録による動画ファイルが複数存在する場合であっても、それぞれのリレー記録に係る動画ファイルの対応関係を維持可能なファイル管理が実現される。また、リレー記録により生成された対応する動画ファイル同士を正しく結合することを容易に行うことができる。
【図面の簡単な説明】
【０００８】
【図１】実施形態における記録装置の構成を示すブロック図。
【図２】実施形態におけるリレー記録処理を示すフローチャート。
【図３】記録された複数の動画ファイルの関係を説明する図。
【図４】実施形態におけるリレー記録情報の例を示す図。
【図５】実施形態における付加情報の例を示す図。
【図６】リレー記録により記録される動画データとタイムコードの例を示す図。
【図７】実施形態における画像処理装置の構成を示すブロック図。
【図８】実施形態における動画ファイルの結合処理を示すフローチャート。
【図９】実施形態におけるリレー記録された動画ファイルを検出する処理のフローチャート。
【図１０】実施形態における付加情報の記憶処理を示すフローチャート。
【図１１】実施形態における動画ファイルのコピー処理を示すフローチャート。
【図１２】実施形態におけるリレー位置の設定処理を示すフローチャート。
【図１３】実施形態におけるリレー位置の調整処理を示すフローチャート。
【発明を実施するための形態】
【０００９】
以下、図面を参照して本発明の好適な実施形態について詳細に説明する。なお、本発明は以下の実施形態に限定されるものではなく、本発明の実施に有利な具体例を示すにすぎない。また、以下の実施形態の中で説明されている特徴の組み合わせの全てが本発明の課題解決のために必須のものであるとは限らない。
【００１０】
図１は、本実施形態における記録装置１００の構成を示すブロック図である。記録装置１００は、例えばＡＶＣＨＤフォーマットに従い動画を記録する。図１において、撮像部１０１は被写体を撮影し、被写体を示す動画像信号を生成して出力する。撮像部１０１は、ズームレンズやフォーカスレンズ等の光学系、ＣＣＤ等のイメージセンサ、アイリス、撮影した動画信号をデジタル信号に変換するＡＤ変換器、撮影された動画に必要な処理を施す処理回路等を含む。メモリ１０２は、撮像部１０１から出力された動画データその他のデータを記憶する。
【００１１】
信号処理部１０３は、記録時においては、撮影された動画データに対して、ＭＰＥＧ等の公知の符号化方式に従う符号化処理を施し、その情報量を圧縮する。また、信号処理部１０３は、再生時においては、再生された動画データを復号し、情報量を伸張する。表示制御部１０４は、制御部１０６からの指示に従い、動画やメニュー画面等の各種の情報を表示部１０５に表示する。表示部１０５は液晶パネル等、公知の表示装置を含む。
【００１２】
制御部１０６はマイクロプロセッサ（ＣＰＵ）やその他必要なメモリを有し、メモリ１０２に記憶されたプログラムに従い、操作部１０７からの指示に応じて記録装置１００の各部の動作を制御する。操作部１０７は、電源スイッチ、動画の撮影開始、停止を指示するトリガスイッチ、ズームスイッチ、再生スイッチ、メニュースイッチ等の各種のスイッチを備える。制御部１０６は、操作部１０７からのユーザの指示を受け付ける。また、本実施形態では、ユーザは、メニュースイッチを操作して表示部１０５にメニュー画面を表示し、このメニュー画面を利用して、リレー記録モードの設定を指示することができる。
【００１３】
第１記録再生部１０８は、制御部１０６からの指示に従い、動画データやその付加情報、及びその他各種の情報を記録媒体Ａ１１０（第１の記録媒体）に記録し、記録媒体Ａ１１０から再生する。また、第２記録再生部１０９は、制御部１０６からの指示に従い、動画データやその付加情報、及びその他各種の情報を記録媒体Ｂ１１１（第２の記録媒体）に記録し、記録媒体Ｂ１１１から再生する。記録媒体Ａ１１０、Ｂ１１１はメモリカードやハードディスク等のランダムアクセス可能な記録媒体である。本実施形態では、記録媒体Ａ１１０、Ｂ１１１はそれぞれフラッシュメモリを内蔵したメモリカードであるものとする。また、記録媒体Ａ１１０、Ｂ１１１はそれぞれ、不図示の装着、排出機構により、記録装置１００に対してユーザが容易に装着、排出可能な構成である。また、記録媒体Ａ１１０、Ｂ１１１の一方を装着し、他方を排出した状態とすることも可能である。バス１１２は、記録装置１００の各部の間で、各種のデータやコマンドを転送するために用いられる。
【００１４】
次に、記録装置１００による基本的な記録処理及び再生処理について説明する。記録装置１００では、記録媒体Ａ１１０と記録媒体Ｂ１１１のいずれかに対して動画を記録することができる。ユーザは、記録装置１００が記録ポーズ状態であるときに操作部１０７を操作して、これら２つの記録媒体のうちのいずれか１つを記録先の記録媒体として選択する。制御部１０６は、選択された記録媒体を示す情報を内部の不揮発性メモリに記憶する。
【００１５】
操作部１０７により記録装置１００の電源が投入されると、制御部１０６は各部を制御して、撮像部１０１により得られた動画信号に応じた被写体の動画を表示部１０５に表示し、記録待機状態となる。この状態で、記録先の記録媒体が設定され、操作部１０７より撮影開始の指示が出力された場合、制御部１０６は各部を制御し、動画の記録を開始する。撮像部１０１は、制御部１０６からの指示があると、動画データを出力し、バス１１２を介していったんメモリ１０２に記憶する。信号処理部１０３は、メモリ１０２に記憶された動画データを符号化して、再度、メモリ１０２に記憶する。記録先として記録媒体Ａ１１０が選択されていた場合、制御部１０６は第１記録再生部１０８に対し、メモリ１０２から動画データを読み出し、記録媒体Ａ１１０に記録するように指示する。また、制御部１０６は、記録先として記録媒体Ｂ１１１が選択されていた場合、同様に、メモリ１０２から動画データを読み出し、記録媒体Ｂ１１１に記録するように指示する。
【００１６】
そして、記録開始後、操作部１０７より撮影停止の指示が出力された場合、制御部１０６は、第１記録再生部１０８、第２記録再生部１０９のうち、記録先として選択された記録媒体に対応する記録再生部に対して、動画の記録停止を指示する。なお、本実施形態では、第１記録再生部１０８、第２記録再生部１０９は記録媒体Ａ１１０、記録媒体Ｂ１１１に記録した動画データを所定のファイルシステムに従い動画ファイルとして扱う。また、本実施形態では、後述するように、各種の付加情報を動画ファイルと共に記録媒体Ａ１１０、記録媒体Ｂ１１１に記録する。また、ユーザは、記録する動画データのデータレートが異なる複数種類の記録モードのいずれかを選択することができる。本実施形態では、例えば、通常画質モードと高画質モードの２種類の記録モードを用意している。そして、高画質モードでは、符号化された動画データの目標レートが２４メガビット／秒（Ｍｂｐｓ）となるように符号化し、通常画質モードでは、１５Ｍｂｐｓとなるように符号化する。制御部１０６は、ユーザにより設定された記録モードに応じて動画データのデータレートを変更するように、信号処理部１０３に指示する。信号処理部１０３は、指定された記録モードに応じて動画データの符号量を調整し、データレートを制御する。
【００１７】
次に、再生処理について説明する。操作部１０７により再生モードの指示があると、制御部１０６は、記録媒体Ａ１１０、記録媒体Ｂ１１１のうち、記録先として選択されている記録媒体を検出する。そして、選択された記録媒体に記録された動画ファイルに含まれる動画データの先頭部分を再生するように、第１記録再生部１０８、第２記録再生部１０９を制御する。そして、再生された動画データの先頭部分を信号処理部１０３により復号し、表示制御部１０４に送る。表示制御部１０４は、復号された先頭画面のサイズを縮小し、代表画像を生成して表示部１０５に表示する。ユーザは操作部１０７を操作し、表示部１０５に表示された各動画ファイルの代表画像のうち、再生したい所望の代表画像を選択し、再生を指示する。
【００１８】
制御部１０６は再生が指示されると、選択された代表画像に対応した動画ファイルを再生するように、選択された記録媒体に対応する記録再生部を制御する。第１記録再生部１０８、第２記録再生部１０９は、指定された動画ファイルを記録媒体から再生し、メモリ１０２に記憶する。信号処理部１０３はメモリ１０２から動画データを読み出して復号し、再度、メモリ１０２に記憶する。表示制御部１０４はメモリ１０２から動画データを読み出し、再生された動画を表示部１０５に表示する。そして、再生停止の指示があると、制御部１０６は動画ファイルの再生を停止し、再び、代表画像を表示部１０５に表示させる。
【００１９】
次に、リレー記録処理について説明する。リレー記録とは、２つの記録媒体のいずれかに対する動画の記録中に、記録媒体の記録可能な空き容量（記録残量）がなくなり記録が不可となった場合に、記録先を他方の記録媒体に切り替えて記録を継続する処理をいう。このリレー記録によれば、例えば、記録媒体Ａ１１０への動画の記録中に、記録媒体Ａの空き容量がなくなった場合、記録先を記録媒体Ａ１１０から記録媒体Ｂ１１１に切り替える。そして、記録媒体Ｂ１１１に対して動画の記録を継続する。このように、リレー記録によれば、記録開始の指示から記録停止の指示までの間に、２つの記録媒体にまたがって１つのシーンの動画ファイルが記録される。
【００２０】
図４は、動画ファイルにおけるリレー記録情報を示す図である。リレー記録情報は、その動画ファイルがリレー記録に係るもの、すなわち、動画が２つの記録媒体にまたがって記録されていることを識別するための情報である。図４に示すように、リレー記録情報４０１として３つの値のいずれかが記録される。例えば、リレー記録情報４０１の値が０ｘ３０の場合は、リレー記録により記録された動画ではないことを示す。リレー記録情報４０１の値が０ｘ０３１の場合は、リレー記録により記録された動画データであって記録開始から途中までのシーンであることを示す。リレー記録情報４０１の値が０ｘ０３２の場合は、リレー記録により記録された動画データであって途中から記録終了までのシーンであることを示す。以下では、記録開始から途中までのシーンを「前半シーン」、途中から記録終了までのシーンを「後半シーン」という。
【００２１】
図５は、動画ファイルにおける付加情報を示す図である。図５（ａ）に示すように、付加情報５０１は、複数の項目を含んでいる。付加情報５０１は、ファイル番号、記録モード、記録装置の識別情報である機器ＩＤ、動画データの記録日、動画ファイルに格納された動画データの記録開始及び終了のタイムコードを含む。ファイル番号は、各動画ファイルに付加されたファイル番号の情報である。記録モードは、記録された動画データのデータレートに関する情報である。記録日は、動画の記録開始時の日付を示している。開始タイムコード、終了タイムコードはそれぞれ、動画ファイルに格納される動画データの先頭フレームと最終フレームのタイムコードを示している。本実施形態では、記録された動画データのフレーム毎に記録開始からの経過時間（フレーム）を示すタイムコードを生成して記録する。また、ユーザによる記録開始の指示があった場合、タイムコードの値を所定値００：００：００：００（時：分：秒：フレーム）に設定する。また、本実施形態では、記録する動画のフレームレートを３０フレーム／秒とするので、タイムコードにおけるフレームの値は０−２９のいずれかとなる。
【００２２】
制御部１０６は、リレー記録情報４０１と付加情報５０１を生成し、メモリ１０２に記憶する。そして、制御部１０６は、記録再生部を制御して、リレー記録情報４０１と付加情報５０１をそれぞれ、動画ファイルに対応づけて記録する。なお、本実施形態では、リレー記録情報４０１と付加情報５０１を動画ファイル内に格納して記録するが、これらを動画ファイルとは別のファイルとして記録する構成としてもよい。このように、本実施形態における制御部１０６は、リレー記録を含む動画データの記録を制御する記録制御手段として機能するとともに、取得した動画データを所定のファイルシステムに従い動画ファイルとして管理する管理手段として機能する。
【００２３】
図２は、リレー記録時の処理を示すフローチャートである。図２の処理は、制御部１０６が各部を制御することにより実行される。本実施形態では、２つの記録媒体Ａ１１０とＢ１１１が共に装着されていることが検出された場合にリレー記録を実行し、いずれか一方の記録媒体だけが装着されている場合にはリレー記録を行わない。また、一方の記録媒体から他方に切り替えた後、動画の記録を継続し、その後、他方の記録媒体の記録容量がなくなった場合は記録を停止する。また、両方の記録媒体が装着されている場合に、ユーザがリレー記録を行わないように設定できるように構成してもよい。
【００２４】
記録ポーズ状態において、ユーザによりリレー記録に関する設定が指示された場合に図２の処理が開始される。まず、制御部１０６は、記録装置１００に２つの記録媒体Ａ１１０、Ｂ１１１が共に装着されているか否かを判別する（Ｓ２０１）。少なくとも一方の記録媒体が装着されていない場合はリレー記録ができないため、制御部１０６はリレー記録ができない旨を表示部１０５に表示して処理を終了する。
【００２５】
記録媒体Ａ１１０とＢ１１１が共に装着されている場合、ユーザは、操作部１０７を操作して、リレー記録の際の記録順を設定する（Ｓ２０２）。ここでは、記録媒体Ａ１１０→記録媒体Ｂ１１１の順に記録するか、または、記録媒体Ｂ１１１→記録媒体Ａ１１０の順に記録するかが設定される。制御部１０６は、ユーザにより記録順が設定されると、制御部１０６は、各記録媒体に記録された動画ファイルの付加情報を読み出し、そのうち、リレー記録された動画ファイルのタイムコードをメモリ１０２に記憶する（Ｓ２０３）。
【００２６】
ここで、Ｓ２０３の処理を図１０のフローチャートを参照して説明する。制御部１０６は、まず、記録媒体Ａ１１０に動画ファイルが記録されているか否かを判別する（Ｓ１００１）。記録媒体Ａ１１０に動画ファイルが１つも記録されていない場合、Ｓ１００９に進む。記録媒体Ａ１１０に動画ファイルが記録されていた場合、制御部１０６は、１つの動画ファイルを選択し、この動画ファイルのリレー記録情報及び付加情報を読み出すように第１記録再生部１０８に指示する（Ｓ１００２）。第１記録再生部１０８は、指定された動画ファイルのリレー記録情報及び付加情報を読み出し、メモリ１０２に記憶する。制御部１０６は、読み出されたリレー記録情報に基づき、この動画ファイルがリレー記録による前半シーンであるか否かを判別する（Ｓ１００３）。図４の例では、リレー記録情報が示す値が０ｘ３１であればその動画ファイルは前半シーンである。前半シーンである場合、制御部１０６は、付加情報から終了タイムコードの値を取り出し、メモリ１０２に記憶する（Ｓ１００４）。前半シーンでない場合、制御部１０６は、この動画ファイルがリレー記録による後半シーンであるか否かを判別する（Ｓ１００５）。図４の例では、リレー記録情報が示す値が０ｘ３２であればその動画ファイルは後半シーンである。後半シーンである場合、制御部１０６は、付加情報から開始タイムコードの値を取り出し、メモリ１０２に記憶する（Ｓ１００６）。動画ファイルが前半、後半のいずれのシーンでもなく、リレー記録により記録されたものでない場合には、タイムコードは記録されない。これは、図４の例では、リレー記録情報が示す値が０ｘ３０である場合である。
【００２７】
次に、制御部１０６は、記録媒体Ａ１１０に残りの動画ファイルが記録されているか否かを判別する（Ｓ１００７）。残りの動画ファイルがある場合には、次の動画ファイルを選択して（Ｓ１００８）、Ｓ１００３に戻る。
【００２８】
Ｓ１００１で動画ファイルが記録されていない場合、または、Ｓ１００７で残りの動画ファイルがない場合、制御部１０６は、記録媒体Ｂ１１１に動画ファイルが記録されているか否かを判別する（Ｓ１００９）。記録媒体Ｂ１１１に動画ファイルが１つも記録されていない場合は処理を終了する。
【００２９】
記録媒体Ｂ１１１に動画ファイルが記録されていた場合、制御部１０６は、１つの動画ファイルを選択し、この動画ファイルのリレー記録情報及び付加情報を読み出すように第２記録再生部１０９に指示する（Ｓ１０１０）。第２記録再生部１０９は、指定された動画ファイルのリレー記録情報及び付加情報を読み出し、メモリ１０２に記憶する。制御部１０６は、読み出されたリレー記録情報に基づき、この動画ファイルがリレー記録による前半シーンであるか否かを判別する（Ｓ１０１１）。前半シーンである場合、制御部１０６は、この付加情報から終了タイムコードの値を取り出し、メモリ１０２に記憶する（Ｓ１０１２）。前半シーンでない場合、制御部１０６は、この動画ファイルがリレー記録による後半シーンであるか否かを判別する（Ｓ１０１３）。後半シーンである場合、制御部１０６は、付加情報から開始タイムコードの値を取り出し、メモリ１０２に記憶する（Ｓ１０１４）。動画ファイルが前半、後半のいずれのシーンでもなく、リレー記録により記録されたものでない場合には、タイムコードは記録されない。
【００３０】
次に、制御部１０６は、記録媒体Ｂ１１１に残りの動画ファイルが記録されているか否かを判別する（Ｓ１０１５）。残りの動画ファイルがある場合には、次の動画ファイルを選択して（Ｓ１０１６）、Ｓ１００３に戻る。
【００３１】
このように、リレー記録により各記録媒体に記録された動画ファイルの開始タイムコードあるいは終了タイムコードがメモリ１０２に記憶される。なお、ここで記憶したタイムコードの値は、記録装置１００の電源がオフになるまで保持される。
【００３２】
図２の処理に戻り、制御部１０６は、操作部１０７から記録開始の指示が出力されるのを待つ（Ｓ２０４）。記録開始の指示が出力された場合、制御部１０６は、ユーザが指定した記録順に基づき、２つの記録媒体のうち、先に記録する方の記録媒体を記録先として指定し、記録先の記録媒体に対応した記録再生部に対して動画の記録を開始するように指示する。第１記録再生部１０８又は第２記録再生部１０９は、前述のように動画データを記録媒体に記録する（Ｓ２０５）。記録開始後、制御部１０６は、ユーザにより記録停止の指示があった場合（Ｓ２０６）、動画の記録を停止するように、動画を記録中の記録再生部に指示する。指示を受けた記録再生部は、動画データの記録を停止し（Ｓ２０７）、この動画に対応したリレー記録情報４０１と付加情報５０１を記録する（Ｓ２０８）。記録が終了すると、記録待機状態となる。
【００３３】
一方、Ｓ２０６で記録停止の指示がない場合、制御部１０６は、記録中の記録媒体の記録残量が所定量以下となったか否かを判別する（Ｓ２０９）。記録中の記録再生部は、動画の記録中に繰り返し記録媒体の記録残量を検出し、記録残量の情報を制御部１０６に送る。記録残量が所定量よりも多い場合、そのまま動画の記録が継続される。記録残量が所定量以下となった場合、制御部１０６は、現在記録中の動画がリレー前半の動画か否かを判別する（Ｓ２１０）。記録中の動画がリレー後半の動画である場合、制御部１０６は、動画の記録を停止するように、動画を記録中の記録再生部に指示する。指示を受けた記録再生部は、動画データの記録を停止し（Ｓ２０７）、この動画に対応したリレー記録情報４０１と付加情報５０１を記録する（Ｓ２０８）。
【００３４】
ところで、過去に行われたリレー記録による他の動画ファイルが記録媒体Ａ１１０と記録媒体Ｂ１１１に既に記録されている場合もありうる。このような場合がありうることを考慮して、それぞれのリレー記録に係る動画ファイルの対応関係を維持することが必要である。本実施形態では、リレー記録による後半シーンの動画ファイルに付与される開始タイムコードが、前半シーンの動画ファイルに付与される終了タイムコードに対して連続した値となっていることで、両者の対応付けを行う。ここで、過去に行われた他のリレー記録による前半シーンの終了タイムコードと、今回記録する後半シーンの開始タイムコードとが連続してしまった場合、正しい対応関係を維持できない。そこで、本実施形態では、Ｓ２１１において以下のような終了タイムコードの調整、すなわちリレー位置（記録終了位置）の調整を行う。
【００３５】
Ｓ２１０において記録中の動画がリレー前半の動画であると判定された場合、制御部１０６は、Ｓ２０３で記憶したタイムコードに基づいてリレー位置の決定を行う（Ｓ２１１）。この具体的な処理例を、図１３のフローチャートを参照して説明する。まず、この前半シーンの記録中における現在時刻に対応するタイムコードに基づいて、リレー位置の目標タイムコードＴｐを決定する（Ｓ１３０１）。具体的には、制御部１０６は、現在記録中のフレームのタイムコードから、所定フレーム数だけ後のタイムコードを目標タイムコードＴｐとする。次に、制御部１０６は、現在記録中の記録媒体に既に記録済みの他の全ての動画ファイルの前半シーンの終了タイムコードをメモリ１０２から読み出す（Ｓ１３０２）。なお、これらの終了タイムコードは図１０のＳ１００４又はＳ１０１２で記憶されたものである。その後、Ｓ１３０１で決定した目標タイムコードＴｐがＳ１３０２で読み出した各終了タイムコードに一致しないかをチェックする。ここで一致するものがなければ、そのままＴｐを現在記録中の前半シーンの終了タイムコードに決定する（Ｓ１３０４）。一方、一致が検出された場合には、Ｓ１３０２で読み出した各終了タイムコードに一致しない値のうち、Ｔｐよりも大きく、かつ、Ｔｐに最も近い値であるＴｐ’を、現在記録中の前半シーンの終了タイムコードに決定する（Ｓ１３０５）。ここで決定した終了タイムコードに対応するフレームがリレー位置を表すことになる。本実施形態ではこのように、前半シーンの終了タイムコードが、別の前半シーンの動画ファイルの終了タイムコードと一致しないように調整される。これにより、それぞれのリレー記録に係る動画ファイルの対応関係が維持される。
【００３６】
なお、本実施形態では、動画をＭＰＥＧ方式で符号化して記録している。ＭＰＥＧでは、フレーム内符号化とフレーム間予測符号化を用いて符号化を行う。また、ＭＰＥＧでは、フレーム内符号化されたフレームを含む、ＧＯＰを単位として符号化を行う。そのため、記録された動画はＧＯＰを単位として復号が可能となる。そこで、本実施形態では、リレー位置を決める際に、このＧＯＰの境界となるフレームをリレー位置として決定する。例えば、１ＧＯＰを１５フレームで構成する場合、１５フレームを単位としてリレー位置が決定される。また、符号化の単位がｎフレームの場合、ｎフレームを単位としてリレー位置が決定される。
【００３７】
図２に戻り、制御部１０６は、記録中の動画の位置が、リレー位置となったか否かを判別する（Ｓ２１２）。記録中の動画の位置がリレー位置となった場合、制御部１０６は、記録中の動画の記録を停止し（Ｓ２１３）、この動画に対応したリレー記録情報４０１と付加情報５０１を記録する（Ｓ２１４）。次に、制御部１０６は、記録先の記録媒体を変更し、動画の記録を継続するように、記録先の記録媒体に対応した記録再生部に指示し、記録を継続する（Ｓ２１５）。このようにリレー記録を行った場合、新たに記録された前半シーンの最終タイムコードと、後半シーンの開始タイムコードの情報は、メモリ１０２に記憶される。
【００３８】
図３は、記録装置１００により記録される動画ファイルを示す図である。図３（ａ）はリレー記録が行われない場合に記録される動画ファイルを示している。記録媒体Ａ１１０が選択されている状態で記録開始によりファイル名００００１の動画ファイル３０１が記録され、記録停止の指示により記録が停止される。その後、ユーザにより記録先が記録媒体Ｂ１１１に変更される。この状態で記録開始指示によりファイル名００００２の動画ファイル３０２が記録される。
【００３９】
一方、図３（ｂ）はリレー記録が行われた場合に記録される動画ファイルを示している。記録媒体Ａ１１０が選択されている状態で記録開始指示によりファイル名００００３の動画ファイル３０３が記録される。動画ファイル３０３の記録中に記録媒体Ａ１１０の残量がなくなった場合、動画ファイル３０３の記録が停止され、記録先が記録媒体Ｂ１１１に変更されて、ファイル名００００４の動画ファイル３０４が記録媒体Ｂ１１１に記録される。その後、記録停止の指示により、動画ファイル３０３の記録が停止される。
【００４０】
図３（ａ）のように、リレー記録が行われない場合に記録される動画ファイル３０１、３０２と共に記録されるリレー記録情報４０１の値は、０ｘ３０となる。また、図３（ｂ）のようにリレー記録が行われた場合、動画ファイル３０３のリレー記録情報４０１の値は０ｘ３１となり、動画ファイル３０４のリレー記録情報４０１の値は０ｘ３２となる。
【００４１】
図６は、図３（ｂ）のようにリレー記録が行われた場合に動画ファイル３０３、３０４に記録されるフレームと、各フレームのタイムコードを示す図である。時刻６０１で記録開始の指示があった場合、タイムコード値００：００：００：００が先頭フレームに対して設定され、記録が開始される。その後、時刻６０２で、記録媒体Ａ１１０の残量が所定量以下となった場合、記録媒体Ａに既に記録されている終了タイムコードと、記録媒体Ｂに既に記録されている開始タイムコードから１フレーム少ないタイムコードが検出される。そして、次のＧＯＰの境界である００：００：００：１４が検出されたタイムコード以外である場合、このフレームがリレー位置として設定される。
【００４２】
そして、時刻６０３で記録先が記録媒体Ａ１１０から記録媒体Ｂ１１１に変更され、記録媒体Ａ１１０に記録された動画ファイル３０３（第１の動画データ）の記録終了時刻を表す終了タイムコード（第１の情報）には、００：００：１０：１４の値が設定される。また、記録媒体Ｂ１１１に記録される動画ファイル３０４（第２の動画データ）の記録開始時刻を表す開始タイムコード（第２の情報）には、動画ファイル３０３の記録終了時刻から所定の単位時間進んだ時刻である００：００：１０：１５の値が設定される。このように、リレー記録時には、動画ファイル３０３の最後のフレームと、動画ファイル３０４の先頭のフレームに付加されるタイムコード値は連続している。そのため、一方の動画ファイルの最終フレームのタイムコードから１フレームを加算した値が他方の動画ファイルの先頭フレームのタイムコードとして設定されていた場合、これら２つの動画ファイルはリレー記録により連続して記録されたものであることがわかる。その後、６０３で記録停止の指示があると動画ファイル３０４の記録を停止する。
【００４３】
図５（ｂ）は、図６のようにリレー記録により記録された動画ファイル３０３、３０４の付加情報を示している。ここでは、記録モードとして高画質モード（データレートが２４Ｍｂｐｓ）が選択されているものとする。図５（ｂ）に示すように、動画ファイル３０３の付加情報５０２には、開始タイムコード値として００：００：００：００が格納され、終了タイムコード値として００：００：１０：１４が格納される。一方、動画ファイル３０４の付加情報５０３には、開始タイムコード値として００：００：１０：１５が格納され、終了タイムコード値として００：００：３０：００が格納される。
【００４４】
次に、記録媒体Ａ１１０と記録媒体Ｂ１１１との間での動画ファイルのコピーについて説明する。図１１は動画ファイルのコピー処理を示すフローチャートである。図１１の処理は、制御部１０６が各部を制御することにより実行される。ユーザが操作部１０７を操作し、コピー処理を指示した場合に図１１の処理が開始される。なお、前述のように、記録媒体Ａ１１０から記録媒体Ｂ１１１に記録先を切り替えることによりリレー記録が行われた場合、記録媒体Ａ１１０の記録残量が無い。そのため、この場合は記録媒体Ａ１１０に記録された動画ファイルを削除して、空き容量を生成する必要がある。ユーザは操作部１０７を操作することにより、記録媒体Ａ１１０に記録された動画ファイルの削除を指示することが可能である。制御部１０６は、ユーザによりファイルの削除が指示された場合、選択された動画ファイルを指定された記録媒体から削除する。
【００４５】
ユーザは、記録媒体Ａ１１０、または、記録媒体Ｂ１１１に記録された動画ファイルのうち、コピー対象の動画ファイルを選択する（Ｓ１１０１）。制御部１０６は、選択された動画ファイルの付加情報に基づいて、選択された動画ファイルがリレー記録により記録されたファイルであるか否かを判別する（Ｓ１１０２）。選択されたファイルがリレー記録により記録されたファイルでなかった場合、制御部１０６は、選択された動画ファイルを他方の記録媒体にコピーするように、第１記録再生部１０８及び第２記録再生部１０９を制御する（Ｓ１１０８）。例えば、記録媒体Ａ１１０に記録された動画ファイルが選択された場合、第１記録再生部１０８は、選択された動画ファイルを読み出し、第２記録再生部１０９に送る。第２記録再生部１０９は、第１記録再生部１０８から送られた動画ファイルを記録媒体Ｂ１１１に記録する。
【００４６】
また、選択された動画ファイルがリレー記録により記録されたファイルであった場合、制御部１０６は、図１０の処理と同様に、各記録媒体からリレー記録により記録された動画ファイルの開始タイムコードと停止タイムコードを読み出してメモリ１０２に記憶する。なお、図２のＳ２０３の処理が先に実行され、既にタイムコードの情報がメモリ１０２に記憶されている場合、ここでは処理を行わない。
【００４７】
次に、制御部１０６は、選択された動画ファイルの付加情報と、Ｓ１１０３で記憶されたタイムコードとに基づいて、選択された動画ファイルをコピーさせるか否かを判別する（Ｓ１１０４）。制御部１０６は、選択された動画ファイルが前半シーンの場合、この動画ファイルの終了タイムコード値と同じ終了タイムコード値が付加情報として記録された、前半シーンの動画ファイルがコピー先の記録媒体に記録されているか否かを判別する。そして、制御部１０６は、選択された動画ファイルと同じ終了タイムコード値が記録された前半シーンの動画ファイルが既にコピー先の記録媒体に記録されていた場合、コピーさせないものと判別する。また、制御部１０６は、選択された動画ファイルが後半シーンであった場合、この動画ファイルの開始タイムコード値と同じ開始タイムコード値が付加情報として記録された、後半シーンの動画ファイルがコピー先の記録媒体に記録されているか判別する。そして、制御部１０６は、選択された動画ファイルと同じ開始タイムコード値が記録された後半シーンの動画ファイルが既にコピー先の記録媒体に記録されていた場合、コピーさせないものと判別する。以上の結果、コピーさせると判断した場合、制御部１０６は、選択された動画ファイルを他方の記録媒体にコピーするように、第１記録再生部１０８及び第２記録再生部１０９を制御する（Ｓ１１０８）。また、コピーさせないと判断した場合、制御部１０６は、表示部１０５に対し、タイムコードが一致する動画ファイルがコピー先の記録媒体に記録されている旨の警告情報を表示する（Ｓ１１０５）。更に、制御部１０６は、コピーを実行するか否かをユーザに問い合わせるための画面を表示部１０５に表示する。
【００４８】
そして、ユーザによりコピー実行の指示があった場合、制御部１０６は、選択された動画ファイルのリレー記録情報を変更する。そして、リレー記録情報を変更した動画ファイルをコピーするように各記録再生部に指示する（Ｓ１１０７）。ここでは、選択された動画ファイルのリレー情報を、リレー記録されたシーンではないことを示す値に変更する。
【００４９】
次に、このようにリレー記録により記録された２つの動画ファイルを結合する画像処理装置について説明する。図７は、本実施形態における画像処理装置７００の構成を示している。画像処理装置７００は、一般的なパーソナルコンピュータ（ＰＣ）などにより実現できる。
【００５０】
画像処理装置７００において、ＣＰＵ７０１は記憶部７０３に記憶されたアプリケーションソフトウェアに従って各部を制御する。メモリ７０２は、記憶部７０３に記憶されたソフトウェアのキャッシュメモリや、ＣＰＵ７０１のワークメモリとして機能する。記憶部７０３は、ハードディスクドライブ（ＨＤＤ）やフラッシュメモリドライブ（ＳＳＤ）などの大容量記憶装置を含む。記憶部７０３は、ソフトウェアを記憶する。また、記憶部７０３は、後述するように、記録媒体Ａ１１０、Ｂ１１１から読み出された動画ファイルや、結合動画ファイルなどを記憶する。表示部７０４は、ユーザによる操作画面などの情報を表示する。操作部７０５は、キーボードやマウス、その他ユーザが操作可能なスイッチなどを含む。記録媒体ＩＦ７０６（記録媒体インタフェース）は、記録媒体が装着可能な装着部を備え、装着された記録媒体から動画ファイルや各種のデータを読み出し、また、記録媒体に動画ファイルなどを書き込む。記録媒体ＩＦ７０６は、図１の記録媒体Ａ１１０と記録媒体Ｂ１１１が装着される２つの装着部を備えるものとする。従って、画像処理装置７００に対し、記録媒体Ａ１１０と記録媒体Ｂ１１１を同時に装着可能である。バス７０７は各部の間でデータなどを送受信する。
【００５１】
図８、図９は画像処理装置７００による動画ファイルの結合処理を示すフローチャートである。図８、図９の処理はＣＰＵ７０１により実行される。結合処理が開始されると、まず、ＣＰＵ７０１は、記録媒体ＩＦ７０６に２つの記録媒体を装着するようにユーザに指示する画面を表示部７０４に表示し、２つの記録媒体が装着されるのを待つ（Ｓ８０１）。記録媒体ＩＦ７０６に２つの記録媒体、ここでは記録媒体Ａ１１０と記録媒体Ｂ１１１が装着されたことが検出されると（Ｓ８０２）、ＣＰＵ７０１は、リレー記録により２つの記録媒体に連続して記録された動画ファイルを検出する（Ｓ８０３）。
【００５２】
図９はＳ８０３における検出処理を示すフローチャートである。図９において、ＣＰＵ７０１は、記録媒体ＩＦ７０６により、２つの記録媒体Ａ１１０と記録媒体Ｂ１１１から、全ての動画ファイルのリレー記録情報を読み出して記憶部７０３に記憶する。そして、リレー記録情報の値に基づいて、２つの記録媒体に記録された動画ファイルから、前半シーンの動画ファイルを検出し、その数Ｎ１を検出する（Ｓ９０２）。ここで、前記のように、リレー記録情報の値が０ｘ３１である場合、前半シーンの動画ファイルであることを示している。次に、ＣＰＵ７０１は、２つの記録媒体に記録された動画ファイルから、後半シーンの動画ファイルを検出し、その数Ｎ２を検出する（Ｓ９０３）。ここで、リレー記録情報の値が０ｘ３２である場合、後半シーンの動画ファイルであることを示している。
【００５３】
そして、ＣＰＵ７０１は、検出されたＮ１とＮ２がそれぞれ、０より大きいか否かを判別する（Ｓ９０４）。つまり、ここでは、２つの記録媒体に、前半シーンの動画ファイルと後半シーンの動画ファイルがそれぞれ、少なくとも１つは記録されているかどうかを判定している。判定の結果、前半シーンの動画ファイルと後半シーンの動画ファイルの少なくともいずれかが、１つも記録されていなかった場合、処理を終了する。
【００５４】
また、前半シーンの動画ファイルと後半シーンの動画ファイルが共に１つ以上記録されていた場合、ＣＰＵ７０１は、まず、検出された前半シーンの動画ファイルの１つを選択する（Ｓ９０５）。そして、各動画ファイルの付加情報に基づいて、選択した前半シーンの動画ファイルに連続した後半シーンの動画ファイルを検出する（Ｓ９０６）。即ち、ＣＰＵ７０１は、選択された前半シーンの付加情報５０１と、全ての後半シーンの動画ファイルの付加情報５０２とに基づいて、これらの付加情報が以下の条件１−４を満たすか否かを確認する。
【００５５】
条件１：記録モードが同じであること。
条件２：記録機器が同じであること。
条件３：前半シーンの動画ファイルの記録日と、後半シーンの動画ファイルの記録日の差が１日以内であること。
条件４：前半シーンの動画ファイルの終了タイムコード値を１フレーム分進めた値が後半シーンの動画ファイルの開始タイムコードと一致すること。
【００５６】
ＣＰＵ７０１は、これらの条件１−４を全て満たす場合、その２つの動画ファイルがリレー記録により連続して記録されたものであると決定する。このように、リレー記録により連続して記録された動画ファイルがあった場合（Ｓ９０７）、ＣＰＵ７０１は、前半シーンの動画ファイルのファイル名と、後半シーンの動画ファイルのファイル名の情報を記憶部７０３に記憶する（Ｓ９０８）。また、連続する後半シーンの動画ファイルが無い場合はそのままＳ９０９に進む。
【００５７】
Ｓ９０９では、ＣＰＵ７０１は、残りの前半シーンの動画ファイルがあるかどうかを確認し、残りの前半シーンの動画ファイルが無い場合は処理を終了する。また、残りの前半シーンの動画ファイルがある場合、ＣＰＵ７０１は、次の前半シーンの動画ファイルを選択し（Ｓ９１０）、Ｓ９０６に戻って処理を続ける。
【００５８】
図８の処理に戻り、ＣＰＵ７０１は、Ｓ８０３の処理の結果、リレー記録により２つの記録媒体Ａ１１０とＢ１１１に連続して記録された動画ファイルがあるか否かを判別する（Ｓ８０４）。連続して記録された動画ファイルがあった場合、ＣＰＵ７０１は、記録媒体ＩＦ７０６に対し、Ｓ９０８で記憶されたファイル名の動画ファイルを読み出すように指示する（Ｓ８０５）。記録媒体ＩＦ７０６は、ＣＰＵ７０１より指定された動画ファイルを記録媒体Ａ１１０，Ｂ１１１より読み出し、記憶部７０３に記憶する。そして、ＣＰＵ７０１は、記憶部７０３に記憶された、前半シーンの動画ファイルと後半シーンの動画ファイルとを結合し、結合動画ファイルを生成して記憶部７０３に記憶する。このとき、前半シーンの動画ファイルの後に後半シーンの動画ファイルを結合する。なお、ここでの動画ファイルの結合処理は、バイナリレベルでの単純な結合でよい。一方、Ｓ８０３の処理の結果、リレー記録により２つの記録媒体Ａ１１０とＢ１１１に連続して記録された動画ファイルがない場合、ＣＰＵ７０１は、結合できるファイルが見つからないことを表示部７０４に表示する（Ｓ８０７）。
【００５９】
このように、本実施形態では、２つの記録媒体にまたがって動画を記録する場合に、前半、後半シーンを示す付加情報と共にタイムコード付加して記録する。そして、付加情報とタイムコードとを用いて連続的に記録された２つの動画ファイルを検出して結合する。
【００６０】
更に、本実施形態では、リレー記録の際、リレー記録により記録済みの動画ファイルの終了タイムコードと一致しないように、リレー位置を決めている。そのため、ユーザは、簡単な構成で、複数の記録媒体に分割されて記録された一連の動画を１つに結合した動画ファイルを得ることができる。
【００６１】
なお、本実施形態では、記録媒体ＩＦ７０６は２つの装着部を備え、これらの装着部に記録媒体を装着する構成であったが、これ以外の構成とすることも可能である。例えば、画像処理装置７００が公知のＵＳＢの通信部を備える構成とする。そして、ＵＳＢによりメモリカードリーダなどを接続し、このカードリーダに記録媒体Ａ１１０とＢ１１１とを装着する構成としてもよい。或いは、図１の記録装置１００にもＵＳＢの通信部を備える構成としてもよい。そして、記録装置１００に２つの記録媒体Ａ１１０とＢ１１１とを装着した状態で記録装置１００と画像処理装置７００とをＵＳＢにより接続し、画像処理装置７００が記録装置１００を制御して図８、図９の処理を行うようにしてもよい。
【００６２】
また、記録装置１００と画像処理装置７００とを別々の構成としたが、一方に他方の機能を含むように構成してもよい。例えば、記録装置１００に画像処理装置７００の構成を備える構成としてもよい。また、タイムコードの他、フレーム毎に所定数ずつ値が増加する情報、例えば、先頭からのフレーム数を示す情報などを付加情報５０１の項目として記録する構成でもよい。そして、条件４として、タイムコードの値に代えて、フレーム数の情報を使うようにしてもよい。
【００６３】
また、前述の実施形態では、記録媒体の残量が所定量以下となった場合に、記録済みの動画ファイルの開始、終了タイムコードに基づいてリレー位置を決めていたが、ユーザが先にリレー位置を決める構成としてもよい。
【００６４】
図１２は、ユーザによるリレー位置の設定処理を示すフローチャートである。図１２の処理は制御部１０６により実行される。操作部１０７よりリレー位置の設定指示が出力された場合、制御部１０６は、図１０に示す付加情報の記憶処理を行う（Ｓ１１０１）。そして、制御部１０６は、リレー位置のタイムコードをユーザに設定させるための設定画面を表示部１０５に表示する（Ｓ１１０２）。ここで、リレー位置として設定可能なタイムコードの上限は、前半シーンが記録される記録媒体の残量と設定されている動画データのレートにより求められる記録時間の上限値となる。
【００６５】
ユーザは操作部１０７により、この上限値の間でリレー位置となるタイムコードの値を設定する。そして、制御部１０６は、設定されたタイムコードの位置をリレー位置として設定可能か否かを判別する（Ｓ１１０３）。即ち、制御部１０６は、設定された値が、リレー元の記録媒体に記録済みの前半シーンの終了タイムコードと、リレー先の記録媒体に記録済みの後半シーンの開始タイムコードよりも１フレームだけ小さい値のいずれとも異なるか否かを判別する。制御部１０６は、設定された値が、リレー元の記録媒体に記録済みの前半シーンの終了タイムコードと、リレー先の記録媒体に記録済みの後半シーンの開始タイムコードよりも１フレームだけ小さい値のいずれとも異なる場合、リレー可能とする。リレー可能であると判別した場合、制御部１０６は、ユーザが設定したタイムコードをリレー位置として設定し、メモリ１０２に記憶する（Ｓ１１０４）。また、リレー可能でないと判別した場合、制御部１０６は、設定された位置をリレー位置として設定できない旨の警告を表示部１０５に表示し（Ｓ１１０５）、その後、再度設定画面を表示する。
【００６６】
このように、ユーザがリレー位置を設定した場合、制御部１０６は、図２のＳ２０９−Ｓ２１２の処理に代えて、リレー元の記録媒体に記録中の動画に付加されたタイムコードが設定されたタイムコードになったか否かをチェックする処理を行う。そして、記録中の動画データに付加されたタイムコードが設定された値に達した場合に、Ｓ２１３以降の処理を実行すればよい。
【００６７】
（他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。この場合、そのプログラム、及び該プログラムを記憶した記憶媒体は本発明を構成することになる。
【図１】
2014164783.tif 000003
【図２】
2014164783.tif 000004
【図３】
2014164783.tif 000005
【図４】
2014164783.tif 000006
【図５】
2014164783.tif 000007
【図６】
2014164783.tif 000008
【図７】
2014164783.tif 000009
【図８】
2014164783.tif 000010
【図９】
2014164783.tif 000011
【図１０】
2014164783.tif 000012
【図１１】
2014164783.tif 000013
【図１２】
2014164783.tif 000014
【図１３】
2014164783.tif 000015